(57)【要約】【課題】製造現場において、省スペース、低コストで、害虫忌避対策及び電磁波対策の双方を施すことができる商品処理装置を提供する。【解決手段】食料品に関連する商品を処理する商品処理装置（１）の外装カバー（４）の内表面（４ａ）に、カーボンの微粒子や、金・銀・白金・パラジウム・銅・ニッケル・スズ等の金属微粒子等の導電性材料、及び、Ｎ，Ｎ−ジエチル−ｍ−トルアミド、Ｎ−ブチルアセトアニリド、Ｎ，Ｎ−ジエチルサクシナメート等の害虫忌避材料を含む混合被膜（４１）が形成されている。混合被膜（４１）は、導電性材料及び害虫忌避材料を含む混合塗料を塗布して乾燥することにより形成される。【選択図】          図１
2004352351.tif 000002
【特許請求の範囲】
【請求項１】
食料品に関連する商品を処理する商品処理装置であって、
外装カバーの内表面に、導電性材料及び害虫忌避材料を含む混合被膜が形成されていることを特徴とする商品処理装置。
【請求項２】
導電性塗料及び害虫忌避塗料を含む混合塗料を、前記外装カバーの内表面に塗布することにより、前記混合被膜が形成されていることを特徴とする請求項１に記載の商品処理装置。
【請求項３】
導電性金属材料及び害虫忌避材料を含む混合材料を、前記外装カバーの内表面に加熱蒸着させることにより、前記混合被膜が形成されていることを特徴とする請求項１に記載の商品処理装置。
【請求項４】
食料品に関連する商品を処理する商品処理装置であって、
外装カバーの内表面に、害虫忌避材料がスクリーン印刷されたアルミニウム製シートを、スクリーン印刷面を内側にして貼付したことを特徴とする食品処理装置。
【発明の詳細な説明】
【０００１】
【発明の属する技術分野】
本発明は、商品となる食料品を計量する電子計量器等、食料品に関連する商品を処理する商品処理装置に関する。
【０００２】
【従来の技術】
電子計量器や自動包装機等の食料品に関連する商品を処理する商品処理装置は、熱源となる回路基板等が内蔵され、冬でも内部が温かく保たれており、また処理される食料品が付着したりすることもあるため、ゴキブリ等の害虫が外部から侵入しやすい。しかし、侵入した害虫が居着いて巣を作ったりしてしまうと、大変不衛生であるとともに、装置に内蔵される機構・部品類を故障させてしまう原因にもなりうるものである。そこで、従来から、商品処理装置を覆う外装カバーの内面に、害虫忌避被膜を形成して、装置内部に害虫が居着くことを防止する技術が提案されている（例えば、特許文献１参照）。
【０００３】
【特許文献１】
特開２０００−９５２５号公報
【０００４】
【発明が解決しようとする課題】
ところで、商品処理装置については、上記のような害虫忌避対策とは別に、電磁波対策として、電磁波発生源となる電気系統部品を中心に導電性材料で覆う等の対応もなされているところである。
【０００５】
しかしながら、これまで害虫忌避対策と電磁波対策の双方を行った商品処理装置は存在しない。もちろん、これらの対策を同じ商品処理装置に対して別個に施すようにすることは可能であるが、工程が増加するために工場スペースを圧迫することが避けられず、またコスト的にも大変不利である。
【０００６】
本発明は、斯かる実情に鑑み、製造現場において、省スペース、低コストで害虫忌避対策及び電磁波対策の双方を施すことができる商品処理装置を提供しようとするものである。
【０００７】
【課題を解決するための手段】
請求項１の発明は、食料品に関連する商品を処理する商品処理装置であって、
外装カバーの内表面に、導電性材料及び害虫忌避材料を含む混合被膜が形成されていることを特徴とする商品処理装置を提供する。
【０００８】
請求項１の発明によれば、以下の作用を奏する。導電性材料と害虫忌避材料の両方を含む混合被膜を形成するものであるから、電磁波シールド被膜及び害虫忌避被膜を別個に設ける場合に比べて、製造工程が少なく済み、低コストに構成することができるものである。
【０００９】
請求項２の発明は、導電性塗料及び害虫忌避塗料を含む混合塗料を、前記外装カバーの内表面に塗布することにより、前記混合被膜が形成されていることを特徴とする請求項１に記載の商品処理装置を提供する。
【００１０】
請求項２の発明によれば、請求項１の発明の作用に加えて、以下の作用を奏する。導電性塗料及び害虫忌避塗料を含む混合塗料を塗布することにより、電磁波シールド効果及び害虫忌避効果を併せもつ被膜を同時に形成するので、製造工程が少なく済み、低コストに構成することができるものである。
【００１１】
請求項３の発明は、導電性金属材料及び害虫忌避材料を含む混合材料を、前記外装カバーの内表面に加熱蒸着させることにより、前記混合被膜が形成されていることを特徴とする請求項１に記載の商品処理装置を提供する。
【００１２】
請求項３の発明によれば、請求項１の発明の作用に加えて、以下の作用を奏する。導電性金属材料及び害虫忌避材料を含む混合材料を加熱蒸着させることにより、電磁波シールド効果及び害虫忌避効果を併せもつ被膜を同時に形成するので、製造工程が少なく済み、低コストに構成することができるものである。
【００１３】
請求項４の発明は、食料品に関連する商品を処理する商品処理装置であって、
外装カバーの内表面に、害虫忌避材料がスクリーン印刷されたアルミニウム製シートを、スクリーン印刷面を内側にして貼付したことを特徴とする食品処理装置を提供する。
【００１４】
請求項４の発明によれば、以下の作用を奏する。外装カバーの内表面に、害虫忌避材料がスクリーン印刷されたアルミニウム製シートを貼付するだけで済むため、一般的に複雑な形状を有する外装カバーの内表面に害虫忌避材料を適用する製造工程をなくすことができるものである。
【００１５】
【発明の実施の形態】
以下に、本発明の実施の形態を、図面を参照しつつ説明する。
【００１６】
図１は、値付けラベルの発行機能を備えた電子計量器１を示しており、商品が載せられる計量皿２を本体３の上方に備えてなる。本体３は、樹脂製の外装カバー４で覆われている。外装カバー４の前面には、液晶タッチパネル５及びテンキーパネル６とこれらの回りを縁取りする黒色の枠パネル７からなる操作部８と、計量された商品に対応するラベルＬを発行するラベル発行口９とが設けられている。外装カバー４の内部には、図２に示されるように、計量皿２の商品重量を検出するロードセル１０と、操作部８及びロードセル１０からの入力信号等を演算処理する制御部１１と、制御部１１から出力される商品表示情報を粘着ラベル用紙に印字して、ラベル発行口９から発行させる印字部１２が設けられている。
【００１７】
上記の電子計量器１は、計量皿２に商品を載せると、ロードセル１０の検出信号をもとに商品の重量が算出されるようになっている。一方、操作部８は、計量皿２に載せられた商品の商品名、重量単価等の商品情報が入力可能とされている。制御部１１は、算出された重量と入力された重量単価から価格を決定し、商品名や加工日等の商品情報データとともに印字部１２に出力する。印字部１２は、裏面に粘着剤が塗布されたラベル用紙に、商品名、加工日、価格等の商品情報を印字した印字済みラベルＬを、ラベル発行口９から発行する。なお、発行したラベルＬに関する情報は、制御部１１と接続されるメモリーＭに蓄積されており、日計売上レポートの作成等に使用される。
【００１８】
なお、作業者の操作ミス等によりラベルが誤発行されることがあるが、その誤発行ラベルの発行実績をメモリーＭに蓄積したままにすると、日計売上レポートに誤りを生じることになるので、メモリーＭからその発行実績を消去する修正処理を行う必要がある。
【００１９】
上記の電子計量器１に対し、電磁波シールド効果、害虫忌避効果、ラベル付着防止効果、抗菌効果を付与するために、下記に示すような処理が施される。
【００２０】
〔本発明の第１の実施形態〕
外装カバー４の内表面４ａには、その全体に亘って、図３に示されるように、導電性材料及び害虫忌避材料を含む混合被膜４１が形成されている。導電性材料は、内部機構から発生する電磁波が外装カバー４の外部に放射されることを防止するものであり、害虫忌避材料は、外装カバー４の内部に害虫が侵入することを防止するものである。
【００２１】
混合被膜４１は、外装カバー４の内表面４ａに導電性材料及び害虫忌避材料を含む混合塗料を塗布して乾燥することにより形成される。したがって、混合塗料の塗装工程のみで、電磁波シールド効果及び害虫忌避効果を得ることができる。その結果、電磁波シールド被膜及び害虫忌避被膜を別個に形成する場合に比べて、製造工程が少なく済み、低コストに形成することができるものである。
【００２２】
混合塗料に配合される害虫忌避材料としては、ゴキブリ等の害虫忌避剤であるＮ，Ｎ−ジエチル−ｍ−トルアミド、Ｎ−ブチルアセトアニリド、Ｎ，Ｎ−ジエチルサクシナメート等が使用される。また、混合塗料に配合される導電性材料としては、カーボンの微粒子や、金・銀・白金・パラジウム・銅・ニッケル・スズ等の金属微粒子が使用される。
【００２３】
外装カバー４の外表面４ｂには、操作部８が設けられている部分を除く全体に亘って、凹凸となるシボ加工被膜４２が形成されている。外表面４ｂには、誤発行されたラベルの発行実績をメモリーＭから消去する修正処理を行う際に、誤発行ラベルＬが一時的に貼付されることがある。外表面４ｂが平滑面で凹凸が形成されていない場合には、貼付されたラベルＬとの接触面積が大きくなるため、ラベルＬを剥がしてもラベル粘着剤あるいはラベル用紙の切れ端が多く残存して美観を損ねることになる。
【００２４】
しかし、凹凸となるシボ加工被膜４２を形成することにより、ラベルＬとの接着面積が小さくなり、ラベル裏面の粘着剤の付着する量も少なく済むとともにラベルＬが剥がし易くなるものである。その結果、誤発行ラベルＬを外装カバー４の外表面４ｂ側に貼付しても、ラベル付着防止効果を発揮して、電子計量器１の美観を良好に保つことができる。なお、シボ加工被膜４２において、その凸部の先端にはエッジが生じないように処理されており、残存じた粘着剤があっても容易に拭き取ることができる。
【００２５】
シボ加工被膜を形成するための塗料には、シボ材料やシボ材料を外表面４ｂに接着させる硬化剤とともに抗菌性材料が配合されている。外装カバー４に、処理対象となる食料品が付着しても雑菌の繁殖を抑制させるためである。したがって、シボ加工塗料の塗装工程のみで、ラベル付着防止効果に加えて抗菌効果を得ることができる。その結果、シボ加工被膜及び抗菌被膜を別個に形成する場合に比べて、製造工程が少なく済み、低コストに構成することができるものである。
【００２６】
抗菌性材料としては、無機イオンに銀イオンを化学結合した銀系無機抗菌剤が使用される。銀系無機抗菌剤は、物理的・化学的に安定性が高く、抗菌効果が長く持続するとともに安全性が高い。また、加工時における耐変色性に優れているので、外装カバー４の塗装に使用しても美観上の問題を生じない。
【００２７】
操作部８の上面には、樹脂製の保護シート８１が設けられる。保護シート８１は、透明で可撓性を備えており、液晶タッチパネル５及びテンキーパネル６の視認性や操作性が確保されている。また、保護シート８１には、シリコンやフッ素化合物等の非粘着性材料が配合されている。したがって、誤発行されたラベルＬが保護シート８１に貼付された場合でも、ラベルＬを剥がしたときにラベル粘着剤が残存しにくい。その結果、電子計量器１の美観を良好に保つことができるものである。保護シート８１には、抗菌性材料も配合されており、操作部８に食品の屑等が付着しても雑菌の繁殖が抑制される。
【００２８】
計量皿２は、抗菌ステンレスで形成されており、その表面２ａには、図４に示されるように、ビード状の細かい突起２１が形成されている。突起２１の存在により、誤発行されたラベルが計量皿２の表面２ａに貼付された場合でも、ラベルＬとの接触面積は小さいため、ラベル裏面の粘着剤は突起２１の先端部２１ａ近辺に付着するだけで済む。その結果、粘着剤の除去は容易に行うことができる。特に先端部２１ａ及び根元部２１ｂは曲面状に形成されているため、付着した粘着剤があっても容易に拭き取ることができる。なお、図４において、Ｌａは、ラベルＬの裏面に形成される粘着剤層を示す。
【００２９】
〔第１の実施形態の変形例〕
上記第１の実施形態では、外装カバー４の内表面４ａに混合被膜４１を形成するために、導電性材料及び害虫忌避材料を含む混合塗料を塗装することとしたが、アルミニウム（導電性金属材料）と害虫忌避材料を含む混合材料を加熱蒸着することにより、混合被膜４１を形成するようにしても良い。導電性金属材料と害虫忌避材料同時に蒸着させることにより、製造工程を少なく済ませることができ、製造コストを低く抑えることができるものである。
【００３０】
〔本発明の第２の実施形態〕
外装カバー４の内表面４ａには、その全体に亘って、図５に示されるように、電磁波シールド被膜及び害虫忌避被膜が重ねられた２重被膜が形成されている。さらに具体的には、アルミニウム製シート４３が接着剤で貼付されており、アルミニウム製シート４３の表面には、害虫忌避剤からなる害虫忌避被膜４４が形成されている。アルミニウム製シート４３は、内部機構から発生する電磁波を外装カバー４の外部に放射されることを防止し、害虫忌避被膜４４は、外装カバー４の内部に害虫が侵入することを防止する。
【００３１】
アルミニウム製シート４３は、アルミニウム材を紙のように薄く圧延した箔で、害虫忌避被膜４４は、アルミニウム製シート４３にスクリーンを被せて、その上から液状の害虫忌避剤をのせ、スクリーンの編み目から害虫忌避剤を通過させることによってスクリーン印刷することにより形成される。したがって、外装カバー４の内表面４ａにアルミニウム製シート４３を、スクリーン印刷面を内側にして貼付するだけで済む。その結果、電磁波シールド被膜及び害虫忌避被膜を別個に形成する場合に比べて、製造工程が少なく済み、低コストに形成することができるものである。スクリーン印刷される害虫忌避材料には、上記第１の実施形態と同様に、Ｎ，Ｎ−ジエチル−ｍ−トルアミド、Ｎ−ブチルアセトアニリド、Ｎ，Ｎ−ジエチルサクシナメート等が使用される。
【００３２】
外装カバー４の外表面４ｂには、第１の実施形態と同様に、操作部８が設けられている部分を除く全体に亘って、シボ加工被膜４２が形成される。
【００３３】
操作部８の上面には、樹脂製の保護シート８２が設けられる。保護シート８２は、透明で可撓性を備えており、液晶タッチパネル５の視認性や操作性が確保されている。保護シート８２には、抗菌性材料が配合されており、液晶タッチパネル５に手についた食品が付着しても雑菌の繁殖を抑制される。さらに、保護シート８２には、シボ材料と硬化剤が配合されており、ラベル付着防止処理がなされている。
【００３４】
計量皿２は、第１の実施形態と同様に、抗菌ステンレスで形成され、その表面２ａには、ビード状の細かい突起２１が形成されることによりラベル粘着剤の付着防止処理がなされている。
【００３５】
〔上記第１及び第２の実施形態の変形例〕
上記第１及び第２の実施形態では、混合被膜４１、又はアルミニウム製シート４３及び害虫忌避皮膜４４からなる２重被膜が外装カバー４の内表面４ａの全体に亘って形成されているが、必ずしも内表面４ａ全体に形成する必要はない。例えば、混合被膜４１又は２重被膜は、制御部等における回路基板、印字部における駆動モーターやサーマルヘッド等の熱源に対する対向面のみに形成し、熱源に対する対向面以外の内表面には、害虫忌避材料を含まない導電性被膜を形成するようにしても良い。あるいは、害虫の侵入路となるラベル発行口９や外装カバー４の合わせ部の周辺部のみに、混合被膜４１又は２重被膜を形成するようにしても良い。
【００３６】
尚、本発明の商品処理装置は、上記した実施の形態に限定されるものではなく、本発明の要旨を逸脱しない範囲内において種々変更を加え得ることは勿論である。
【００３７】
【発明の効果】
以上、説明したように本発明の請求項１〜３記載の商品処理装置によれば、導電性材料と害虫忌避材料の両方を含む混合被膜を形成するものであるから、電磁波シールド被膜及び害虫忌避被膜を別個に設ける場合に比べて、製造工程が少なく済み、低コストに構成することができるという優れた効果を奏し得る。
【００３８】
また、本発明の請求項４記載の商品処理装置によれば、外装カバーの内表面に、害虫忌避材料がスクリーン印刷されたアルミニウム製シートを貼付するだけで済むため、一般的に複雑な形状を有する外装カバーの内表面に害虫忌避材料を適用する製造工程をなくすことができるという優れた効果を奏し得るものである。
【図面の簡単な説明】
【図１】本発明の実施形態に係る電子計量器の外観を示す図。
【図２】本発明の実施形態に係る電子計量器の内部を示す図。
【図３】本発明の第１の実施形態に係る外装カバーの断面図。
【図４】本発明の第１の実施形態に係る計量皿の断面図。
【図５】本発明の第２の実施形態に係る外装カバーの断面図。
【符号の説明】
１    電子計量器（商品処理装置）
２    計量皿
３    本体
４    外装カバー
４ａ    内表面
５    液晶タッチパネル
６    テンキーパネル
７    枠パネル
８    操作部
４１    混合被膜
４３    アルミニウム製シート
４４    害虫忌避被膜
Ｌ    ラベル
【図１】
2004352351.tif 000003
【図２】
2004352351.tif 000004
【図３】
2004352351.tif 000005
【図４】
2004352351.tif 000006
【図５】
2004352351.tif 000007